(57)【要約】【課題】シャワーを行わない場合にカウンターを使用することができると共に、カウンターを使用しない場合に邪魔にならないシャワー装置を提供する。【解決手段】床パン７１からなる洗い場部７１ａを設けると共に、洗い場部７１ａに隣接して浴槽７２を設置し、洗い場部７１ａの端部と浴槽７２のフランジ部７３との間にエプロンを設け、エプロンよりも浴槽７２側で且つフランジ部７３の下側の空間７４に給湯器７５を設置する。浴室７の壁に設けられるシャワー装置本体部１に、シャワー装置本体部１の前方に着座した使用者にミストを吐出又はシャワーを行うための吐水口３と、湯水を吐出する本体部吐水口９と、下端部に設けられて前方に突出するカウンター８と、を備える。給湯器７５から湯を搬送するための湯供給管（１９、３４）をシャワー装置本体部に接続し、カウンター８の突出基部を中心として先端部８１ａを回動させてカウンター８を収納可能とした。【選択図】図１
2009125496.tif 000002
【特許請求の範囲】
【請求項１】
浴室の少なくとも洗い場となる部分に床パンからなる洗い場部を設けると共に、洗い場部に隣接する浴槽設置部に浴槽を設置して、洗い場部の浴槽設置部側の端部と浴槽の洗い場側のフランジ部との間にエプロンを設け、エプロンよりも浴槽側で浴槽のフランジ部の下側の空間に給湯器を設置し、浴室の壁に設けられるシャワー装置本体部に、シャワー装置本体部の前方に着座した使用者にミストを吐出又はシャワーを行うための吐水口と、湯水を吐出する本体部吐水口と、下端部に設けられて前方に突出するカウンターと、を備えたシャワー装置において、給湯器から湯を搬送するための湯供給管をシャワー装置本体部に接続し、カウンターの突出基部を中心として先端部を回動させてカウンターを収納可能として成ることを特徴とするシャワー装置。
【請求項２】
前記湯供給管の周囲を蓄熱材で覆って成ることを特徴とする請求項１記載のシャワー装置。
【発明の詳細な説明】
【技術分野】
【０００１】
本発明は、前方に着座した使用者の身体を包み込むように湯水を吐水することができるシャワー装置に関するものである。
【背景技術】
【０００２】
従来から座部の上方にノズルアームを前方に突出するように設け、該ノズルアームに長手方向に複数のシャワー用の吐水口を設け、複数の吐水口から座部に座った使用者の身体を包み込むように湯水を吐水するシャワー装置が特許文献１により知られている。
【０００３】
上記特許文献１に示され従来例にあっては、座部に座った楽な姿勢で、前方に突出するノズルアームの長手方向に設けた複数のシャワー用の吐水口からシャワーを噴出することで、座部に座った使用者は着座姿勢で首から下の身体全体（首、胸、腹、足）に一度にシャワーを浴びるようになっている。この従来例においては、複数のシャワー用の吐水口のうちノズルアームの基部側に位置するシャワー用の吐水口は首から下の身体の上部側にシャワーを浴びせ、ノズルアームの先端側に位置するシャワー用の吐水口程身体の下部側にシャワーを浴びせるようになっている。
【特許文献１】特開２００７−６８５８８号公報
【発明の開示】
【発明が解決しようとする課題】
【０００４】
ところで、上記シャワー装置にあっては、シャワーを行わない場合には座部をカウンターとして利用することができるものの、カウンターを使用しない場合に邪魔になってしまい、例えば車椅子等に乗った使用者がシャワーを行おうとすると車椅子から座部に移る必要があり、その移る動作が困難である使用者にとってはシャワーの利用が難しい、という問題があった。
【０００５】
本発明は上記従来の問題点に鑑みて発明したものであって、その目的とするところは、シャワーを行わない場合にカウンターを使用することができると共に、カウンターを使用しない場合に邪魔にならないシャワー装置を提供することを課題とするものである。
【課題を解決するための手段】
【０００６】
上記課題を解決するために請求項１に係る発明にあっては、浴室７の少なくとも洗い場となる部分に床パン７１からなる洗い場部７１ａを設けると共に、洗い場部７１ａに隣接する浴槽設置部７１ｂに浴槽７２を設置して、洗い場部７１ａの浴槽設置部７１ｂ側の端部と浴槽７２の洗い場側のフランジ部７３との間にエプロンを設け、エプロンよりも浴槽側で浴槽７２のフランジ部７３の下側の空間７４に給湯器７５を設置し、浴室７の壁に設けられるシャワー装置本体部１に、シャワー装置本体部１の前方に着座した使用者にミストを吐出又はシャワーを行うための吐水口３と、湯水を吐出する本体部吐水口９と、下端部に設けられて前方に突出するカウンター８と、を備えたシャワー装置Ａにおいて、給湯器７５から湯を搬送するための湯供給管（１９、３４）をシャワー装置本体部に接続し、カウンター８の突出基部を中心として先端部８１ａを回動させてカウンター８を収納可能として成ることを特徴とするものである。
【０００７】
このような構成とすることで、ミストの噴出やシャワーを行う際にはカウンター８を収納して、例えば身体の不自由な使用者が車椅子に乗ったままシャワー装置本体部１の前方に着座した状態で位置することができて、車椅子に乗った使用者でもミストの噴出やシャワーを行うことができる。また、カウンターを収納することで洗い場部を広く使用することができる。
【０００８】
また、請求項２に係る発明は、請求項１に係る発明において、前記湯供給管の周囲を蓄熱材７６で覆って成ることを特徴とするものである。
【０００９】
このような構成とすることで、湯供給管１９、３４からの放熱を小さく抑えてエネルギー効率を向上させることができる。
【発明の効果】
【００１０】
本発明にあっては、ミストの噴出やシャワーを行う際にはカウンターを収納して、例えば身体の不自由な使用者が車椅子に乗ったままシャワー装置本体部の前方に着座した状態で位置することができて、車椅子に乗った使用者でもミストの噴出やシャワーを行うことができる。また、カウンターを収納することで洗い場部を広く使用することができる。
【発明を実施するための最良の形態】
【００１１】
以下、本発明を添付図面に示す実施形態に基いて説明する。
【００１２】
図１乃至図３等に示すように、浴室７の床スラブに床パン７１を設置し、床パン７１の浴槽設置部７１ｂに浴槽７２を設置する。そして、床パン７１の周囲に壁パネルを立設し、壁パネルの上端部に天井パネルを載設して、浴室７を形成してある。また、床パン７１の洗い場部７１ａの浴槽設置部７１ｂ側の端部と浴槽７２の洗い場側のフランジ部７３との間にエプロンを設け、エプロンよりも浴槽７２側で浴槽７２のフランジ部７３の下側の空間７４に、後述するシャワー装置Ａに湯を供給するための給湯器７５を設置している。
【００１３】
またなお、ハーフ床パン７１を用いる場合には、浴室７の洗い場となる部分に、洗い場部７１ａを形成した床パン７１を設置すると共に、床パン７１に隣接する浴槽設置部に浴槽７２を設置する。そして、床パン７１の洗い場部７１ａの浴槽設置部側を除く周囲と、浴槽７２のフランジ部７３の洗い場側を除く周囲とに壁パネルを立設し、壁パネルの上端部に天井パネルを載設して、浴室７を形成する。
【００１４】
シャワー装置Ａは、図１、図２に示すように、浴室７の壁７０に取付けられるシャワー装置本体部１と、シャワー装置本体部１の両側部に合成樹脂により略直方形状に成形されたノズルユニット４と、ノズルユニット４の外側に設けられるノズルアーム２とで主体が構成される。左右のノズルユニット４の前面上部には、使用者の主に肩に向かって衝撃的な水流を噴出する左右のマッサージ用吐水口８が配置してあり、前面下部には使用者の主に腰部に向かって微細水流（シャワー）を噴出する左右の腰シャワー用吐水口５がそれぞれ配置してある。
【００１５】
左右のノズルユニット４の外側部には上端部を支点として略上下方向に回動自在で且つ任意の角度で保持が可能なように略直方体形状のノズルアーム２がそれぞれ設置してある。左右のノズルアーム２は連結バー（図示せず）で連結することにより一方のノズルアーム２を回動すれば他方のノズルアーム２も同時に連動して回動するような構成となっている。両側のノズルアーム２の間の前側は、車椅子や浴室用椅子に着座した使用者が位置する着座位置となっている。
【００１６】
ノズルアーム２の裏面には前後方向に複数の吐水口３が設けてある。複数の吐水口３としては、着座位置で着座した使用者の身体を包み込むように粒子状の微細水流（シャワー）を噴出する複数のシャワー用の吐水口３ａと、着座位置で着座した使用者の身体を包み込むように霧状（ミスト状）の水流を噴出する複数のミスト用の吐水口３ｂとが設けてあり、複数のシャワー用の吐水口３ａ、複数のミスト用の吐水口３ｂはいずれもノズルアーム２の長手方向にそれぞれ複数設けてあり、更に、実施形態では、複数のシャワー用の吐水口３ａ、複数のミスト用の吐水口３ｂがノズルアーム２のほぼ全長にわたり所定の間隔で交互に配設してある。
【００１７】
上記シャワー用の吐水口３ａ、ミスト用の吐水口３ｂ、腰シャワー用吐水口５、マッサージ用吐水口８は個々に水流の噴出方向を変更できる調整機能を備えたものであってもよい。
【００１８】
左右のノズルユニット４の間に位置する開放面１２の前面に左右のノズルユニット４の上下端部に枢支し、左右に開閉自在な背もたれカバー１０が設置してある。
【００１９】
図１に示すように左右に開閉自在な背もたれカバー１０を開いた状態にすると、左右のノズルユニット４の間に位置する開放面１２の上部には鏡１３が設置してあり、鏡１３の下端部には下方に向かって湯水を吐出する本体部吐水口（洗い場用吐水口）９が設置してある。また、開放面１２の鏡１３の下部には、収納自在なカウンター８が設けてある。カウンター８は、上面がフラットなカウンター面となる板状のカウンター本体部８１と、カウンター本体部８１の後端部から上方に向けて立壁部８２を立設した側面視略Ｌ字状をしたもので、立壁部８２の上端部をシャワー装置本体部１の開放面１２の下端部に枢支している。これにより、カバー１０を開いた状態で、カウンター８の先端部８１ａを下方に回動させてカウンター面を上向きとする使用状態と、カウンター８の先端部８１ａを上方に回動させてカウンター本体部８１を鏡１３と略面一状に収納する収納状態とを自在に選択できる。
【００２０】
また、背もたれカバー１０を開いた状態にすると、図１に示すように左右のノズルユニット４、左右のノズルアーム２が背もたれカバー１０で覆われ、この状態では左右のノズルユニット４、左右のノズルアーム２に設けた腰シャワー用吐水口５１、マッサージ用吐水口５２、シャワー用の吐水口３ａ、ミスト用の吐水口３ｂからの吐水による本来の使用はしない非使用状態である。このように、カバー１０の開閉により腰シャワー用吐水口５１、マッサージ用吐水口５２、シャワー用の吐水口３ａ、ミスト用の吐水口３ｂの使用が区別できるようになっている。
【００２１】
シャワー浴（つまり微細水流浴）やミスト浴、あるいは水流マッサージなどを行うときは開放面１２を閉じることにより鏡１３のほぼ全面と本体部吐水口９を背もたれカバー１０で隠蔽することができ、この状態ではノズルユニット４の前面と背もたれカバー１０の前面とがほぼ面一となるように構成してある。
【００２２】
図４には本発明の配管ブロック図が示してある。図４の配管ブロック図に示す実施形態では配管路が主配管路１７と副配管路１８との２系統となっている。
【００２３】
主配管路１７は上流側が湯供給管１９、水供給管２０となっており、更に、この湯供給管１９、水供給管２０が温度制御手段２１に接続してあり、この温度制御手段２１より下流側の主配管路１７に温度検知部２２、流量制御手段２３が設けてあり、更に、主配管路１７の流量制御手段２３より下流側を複数の分岐路２４ａ、２４ｂ、２４ｃ、２４ｅに分岐してあり、各分岐路２４ａ、２４ｂ、２４ｃ、２４ｅにはそれぞれ弁２５ａ、弁２５ｂ、弁２５ｃ、弁２５ｅが設けてある。湯供給管１９は、給湯器７５とシャワー装置本体部１とを接続するものである。本実施形態では上述したようにエプロンよりも浴槽７２側で浴槽７２のフランジ部７３の下側の空間７４に設置された給湯器７５に接続されるもので、前記空間７４から浴室７の壁を通して（すなわち壁パネルに形成した貫通孔を通して）浴室７の外部に導出される。そして、浴室７の壁のシャワー装置本体部１を設けた部分の外側まで伸ばして、浴室７の壁を通して浴室７内に導入してノズルアーム２内の流路に接続し、ノズルアーム２内の流路に形成した開口である後述するシャワー用の吐水口３ａやミスト用の吐水口３ｂからシャワーやミストを噴出させる。この湯供給管１９は、周囲を蓄熱材７６で覆って蓄熱性及び保温性を向上させている。
【００２４】
湯供給管１９及び後述の湯供給管３４は、図７（ａ）に示すように、蓄熱材７６としてマイクロバルーン入りの蓄熱材シートを湯供給管１９、湯供給管３４の周囲に被せたり、図７（ｂ）に示すように、蓄熱材７６としてマイクロバルーン入りの蓄熱管を湯供給管１９、湯供給管３４の周囲に被せたり、あるいは図７（ｃ）に示すように、蓄熱材７６としてマイクロバルーン入りの蓄熱管を湯供給管１９、湯供給管３４として使用してもよい。
【００２５】
従来のようにシャワー装置本体部１の下部に座部を備えたシャワー装置Ａにあっては、座部内に給湯器７５を設置することで給湯器７５からの湯供給管１９、湯供給管３４は短くて済んで、湯供給管１９、湯供給管３４からの放熱はあまり大きくなくて問題とならないが、本実施形態の場合には湯供給管１９、湯供給管３４が長くてしかも浴室外を通るため、湯供給管１９、湯供給管３４からの放熱が問題となる。そこで、蓄熱材７６を用いて蓄熱性及び保温性を向上させることで、湯供給管１９、湯供給管３４からの放熱を小さく抑えてエネルギー効率を向上させることができる。
【００２６】
分岐路２４ａはノズルアーム２に設けた複数のシャワー用の吐水口３ａ（シャワー用の吐水口３ａ１、３ａ２、３ａ３、３ａ４、３ａ５）に湯水を供給するための流路であり、分岐路２４ａの弁２５ａの下流側が更に複数の分岐路２６ａ、２６ｂ、２６ｃ、２６ｄ、２６ｅに分岐してあり、分岐路２６ａの先端にシャワー用の吐水口３ａ１が設けてあり、分岐路２６ｂの先端にシャワー用の吐水口３ａ２が設けてあり、分岐路２６ｃの先端にシャワー用の吐水口３ａ３が設けてあり、分岐路２６ｄの先端にシャワー用の吐水口３ａ４が設けてあり、分岐路２６ｅの先端にシャワー用の吐水口３ａ５が設けてある。ここで、図５に示すように、複数のシャワー用の吐水口３ａ１、３ａ２、３ａ３、３ａ４、３ａ５はノズルアーム２の基部から先端側に向けて所定間隔で順に位置している（つまり、シャワー用の吐水口３ａ１がノズルアーム２の基部に位置し、シャワー用の吐水口３ａ５がノズルアーム２の先端に位置し、シャワー用の吐水口３ａ３、３ａ４がその間に位置している）。
【００２７】
ノズルアーム２の基部側に位置するシャワー用の吐水口３ａ１には弁２５ａを通過した湯水が分岐路２６ａを介して直接流れるようになっている。つまり、シャワー用の吐水口３ａ１には温度制御手段２１で設定した温度の湯水が供給される。
【００２８】
一方、ノズルアーム２の基部以外の箇所に位置するシャワー用の吐水口３ａ２、３ａ３、３ａ４、３ａ５には弁２５ａを通過した湯水が温度制御手段２７を経て各分岐路２６ｂ、２６ｃ、２６ｄ、２６ｅを介して流れるようになっている。上記温度制御手段２７には弁２５ａを通過した湯水と、別経路である給湯管２８から湯が供給され（弁２５ａを通過した湯水の温度よりも高い湯が供給される）、弁２５ａを通過した湯水と、給湯管２８から供給される湯とを混合して温度調整して、それぞれシャワー用の吐水口３ａ２、３ａ３、３ａ４、３ａ５に供給するようになっており、この場合、シャワー用の吐水口３ａ２、３ａ３、３ａ４、３ａ５に供給する湯水毎に温度調整をおこなって、シャワー用の吐水口３ａ２、３ａ３、３ａ４、３ａ５の順に次第に温度が高くなるように（つまりノズルアーム２の先端側に位置するシャワー用の吐水口３ａ側程高温に調整された湯水が供給されるように）温度制御されるように設定してある。また、シャワー用の吐水口３ａ２に供給する湯水の温度はシャワー用の吐水口３ａ１に供給する湯水の温度よりも高くなるように設定してある。
【００２９】
分岐路２４ｂは、ノズルアーム２に設けた複数のミスト用の吐水口３ｂ（ミスト用の吐水口３ｂ１、３ｂ２、３ｂ３、３ｂ４、３ｂ５）に湯水を供給するための流路であり、分岐路２４ｂの弁２５ｂの下流側が更に複数の分岐路２９ａ、２９ｂ、２９ｃ、２９ｄ、２９ｅに分岐してあり、分岐路２９ａの先端にミスト用の吐水口３ｂ１が設けてあり、分岐路２９ｂの先端にミスト用の吐水口３ｂ２が設けてあり、分岐路２９ｃの先端にミスト用の吐水口３ｂ３が設けてあり、分岐路２９ｄの先端にミスト用の吐水口３ｂ４が設けてあり、分岐路２９ｅの先端にミスト用の吐水口３ｂ５が設けてある。ここで、図５に示すように、複数のミスト用の吐水口３ｂ１、３ｂ２、３ｂ３、３ｂ４、３ｂ５はノズルアーム２の基部から先端側に向けて所定間隔で順に位置している（つまり、ミスト用の吐水口３ｂ１がノズルアーム２の基部に位置し、ミスト用の吐水口３ｂ５がノズルアーム２の先端に位置し、ミスト用の吐水口３ｂ３、３ｂ４がその間に位置している）。
【００３０】
ノズルアーム２の基部側に位置するミスト用の吐水口３ｂ１には弁２５ｂを通過した湯水が分岐路２９ａを介して直接流れるようになっている。つまり、ミスト用の吐水口３ｂ１には温度制御手段２１で設定した温度の湯水が供給される。
【００３１】
一方、ノズルアーム２の基部以外の箇所に位置するミスト用の吐水口３ｂ２、３ｂ３、３ｂ４、３ｂ５には弁２５ｂを通過した湯水が温度制御手段３０を経て各分岐路２９ｂ、２９ｃ、２９ｄ、２９ｅを介して流れるようになっている。上記温度制御手段３０には弁２５ｂを通過した湯水と、別経路である給湯管３１から湯が供給され（弁２５ｂを通過した湯水の温度よりも高い温度の湯が供給される）、弁２５ｂを通過した湯水と、給湯管２８から供給される湯とを混合して温度調整して、それぞれミスト用の吐水口３ｂ２、３ｂ３、３ｂ４、３ｂ５に供給するようになっており、この場合、ミスト用の吐水口３ｂ２、３ｂ３、３ｂ４、３ｂ５に供給する湯水毎に温度調整をおこなって、ミスト用の吐水口３ｂ２、３ｂ３、３ｂ４、３ｂ５の順に次第に温度が高くなるように（つまりノズルアーム２の先端側に位置するミスト用の吐水口３ｂ側程高温に調整された湯水が供給されるように）温度制御されるように設定してある。また、ミスト用の吐水口３ｂ２に供給する湯水の温度はミスト用の吐水口３ｂ１に供給する湯水の温度よりも高くなるように設定してある。
【００３２】
また、分岐路２４ｃの弁２５ｃの下流側の端部には左右のマッサージ用吐水口８が設けてあり、分岐路２４ｅの弁２５ｅの下流側の端部には本体部吐水口９が設けてある。
【００３３】
また、主配管路１７の温度検知部２２と流量制御手段２３との間から排水弁３２を有する排水管路３３が分岐してある。
【００３４】
一方、副配管路１８は上流側が湯供給管３４、水供給管３５となっており、更に、この湯供給管３４、水供給管３５が腰シャワー温度制御手段６に接続してあり、副配管路１８の腰シャワー温度制御手段６より下流側において温度検知部３６、流量制御手段３７、弁３８が順に配置してあり、弁３８より下流側に左右の腰シャワー用吐水口５が設けてある。湯供給管３４も、上述した湯供給管１９と同様にエプロンよりも浴槽７２側で浴槽７２のフランジ部７３の下側の空間７４に設置された給湯器７５に接続されるもので、前記空間７４から浴室７の壁を通して浴室７の外部に導出され、浴室７の壁のシャワー装置本体部１を設けた部分の外側まで伸ばして、浴室７の壁を通して浴室７内に導入してノズルユニット４内の流路に接続し、ノズルユニット４内の流路に形成した開口である上述した腰シャワー用吐水口５からシャワーを噴出させる。この湯供給管３４も、周囲を蓄熱材７６で覆って保温性を向上させている。
【００３５】
また、副配管路１８の温度検知部３６と流量制御手段３７との間から排水弁５０を有する排水管路５１が分岐してある。
【００３６】
上記した主配管路１７の弁２５ａ、弁２５ｂ、弁２５ｃ、弁２５ｅ、副配管路１８の弁３８は弁切換え制御手段３９からの信号で切換えられるようになっている。
【００３７】
図６には上記構成のシャワー装置Ａの操作を行うためのリモコンスイッチ装置Ｂが示してあり、湯温調整用主スイッチ部４０、流量調整用主スイッチ部４１、湯温調整用副スイッチ部４２、流量調整用副スイッチ部４３、シャワー用スイッチ部４４、ミスト用スイッチ部４５、マッサージ用スイッチ部４６、カラン用スイッチ部４８が設けてある。
【００３８】
ここで、湯温調整用主スイッチ部４０を操作することで主配管路１７に設けた温度制御手段２１において湯供給管１９から供給される湯と水供給管２０から供給される水との混合割合を変化させて湯温調整をすることができ、流量調整用主スイッチ部４１を操作することで、主配管路１７に設けた流量制御手段２３による流量調整を行うことができ、また、湯温調整用副スイッチ部４２を操作することで副配管路１８に設けた腰シャワー温度制御手段６において湯供給管３４から供給される湯と水供給管３５から供給される水との混合割合を変化させて湯温調整をすることができ、流量調整用副スイッチ部４３を操作することで副配管路１８に設けた流量制御手段３７による流量調整を行うことができる用に設定してある。また、シャワー用スイッチ部４４をオン操作すると、弁切換え制御手段３９により主配管路１７の弁２５ａと、副配管路１８の弁３８が開となるように制御され（この場合他の弁は閉である）、ミスト用スイッチ部４５をオン操作すると、弁切換え制御手段３９により主配管路１７の弁２５ｂと、副配管路１８の弁３８が開となるように制御され（この場合他の弁は閉である）、マッサージ用スイッチ部４６をオン操作すると、弁切換え制御手段３９により主配管路１７の弁２５ｃと、副配管路１８の弁３８が開となるように制御され（この場合他の弁は閉である）、カラン用スイッチ部４８をオン操作すると、弁切換え制御手段３９により主配管路１７の弁２５ｅのみが開となるように制御されるように設定してある。
【００３９】
上記のような構成のシャワー装置Ａの使用に当たっては、図２に示すように背もたれカバー１０を閉じた状態で使用者が着座位置で着座し、この状態でシャワー用スイッチ部４４、ミスト用スイッチ部４５、マッサージ用スイッチ部４６のいずれかをオン操作することで、着座位置で着座した状態で身体の略全体を包み込むようなシャワー浴や、身体の略全体を包み込むようなミスト浴や、水流マッサージを行うことができる。
【００４０】
例えば、シャワー浴をする場合は、ノズルアーム２を回動して前方に突出させ、この状態でシャワー用スイッチ部４４をオン操作すると弁２５ａ、弁３８が開き、左右のノズルアーム２の長手方向に設けたシャワー用の吐水口３ａ１、３ａ２、３ａ３、３ａ４、３ａ５からそれぞれ粒子状に水流を噴出し（シャワーが噴出し）て、着座位置で着座した使用者の身体のほぼ全体を包み込むようシャワー浴を行い、同時に左右の腰シャワー用吐水口５からそれぞれ粒子状に水流を噴出し（シャワーが噴出し）て、着座位置で着座した使用者の背方から腰にシャワーを浴びせる。
【００４１】
この場合、湯温調整用主スイッチ部４０を操作して温度制御手段２１で湯水の温度を任意の温度に設定し、主配管路１７の下流側に流すのであるが、シャワー用の吐水口３ａ１からは上記温度制御手段２１で設定した温度の湯水が噴出する。また、シャワー用の吐水口３ａ２、３ａ３、３ａ４、３ａ５から噴出する湯水は、上記温度制御手段２１で設定された温度の湯水に、これよりも高温の湯（例えば５０℃以上の湯）を温度制御手段２７部分で加え、高温の湯を加える量をそれぞれ変えることでシャワー用の吐水口３ａ２、３ａ３、３ａ４、３ａ５の順で次第に湯温が高くなるように調整されるものであり、また、上記温度制御手段２１では最高の温度となるシャワー用の吐水口３ａ５から噴出する湯水の温度がシャワー用の吐水口３ａ５直近で人が浴びても安全な温度以下となるように制御される。このように、ノズルアーム２の長手方向に複数設けたシャワー用の吐水口３ａ２、３ａ３、３ａ４、３ａ５からシャワーを噴出して着座位置で着座した使用者を包み込むようなシャワー浴を行う際、噴出位置から身体までの距離が短いシャワー用の吐水口３ａよりも噴出位置から身体までの距離が長いシャワー用の吐水口３ａ程噴出する湯水の温度を高くしてあるので、各シャワー用の吐水口３ａ２、３ａ３、３ａ４、３ａ５から噴出したシャワーが着座位置で着座した使用者の首から下の身体の各部に到達した際はほぼ同じ湯温となり、身体各部に当たる湯温のばらつきがなく、身体全体の温まり感を同じにできて、温熱効果を高めることができる。
【００４２】
また、上記のように使用者が着座位置で着座した状態でノズルアーム２に設けた複数のシャワー用の吐水口３ａからシャワーを噴出して使用者の身体を包み込むようなシャワー浴を行っている際、同時に左右の腰シャワー用吐水口５からそれぞれシャワーが噴出して腰に当たるため、使用者の背面側が冷えることがないようになっている。この場合、湯温調整用副スイッチ部４２を操作して腰シャワー温度制御手段６により腰シャワー用吐水口５から噴出する湯水の温度を調整する。つまり、腰シャワー用吐水口５から着座位置で着座した使用者の腰部分までの距離は短い（シャワー用の吐水口３ａ１から首までの距離よりも短い）ため、仮に、シャワー用の吐水口３ａ１と同じ温度の湯水を腰シャワー用吐水口５から噴出すると、腰シャワー用吐水口５から身体までの距離が短いため腰に当たる湯水が熱過ぎて快適な使用ができないが、上記のように、腰シャワー用吐水口５から噴出する湯水の温度を腰シャワー温度制御手段６により独立して調整することで、身体全体の温まり感を同じにできる。
【００４３】
次に、使用者が着座位置で着座してミスト浴をする場合は、ノズルアーム２を回動して前方に突出させ、この状態でミスト用スイッチ部４５をオン操作すると弁２５ｂ、弁３８が開き、左右のノズルアーム２の長手方向に設けたミスト用の吐水口３ｂ１、３ｂ２、３ｂ３、３ｂ４、３ｂ５からそれぞれミストを噴出して、着座位置で着座した使用者の身体のほぼ全体を包み込むようミスト浴を行い、同時に左右の腰シャワー用吐水口５からそれぞれ粒子状に水流を噴出し（シャワーが噴出し）て、着座位置で着座した使用者の背方から腰にシャワーを浴びせる。
【００４４】
この場合、湯温調整用主スイッチ部４０を操作して温度制御手段２１で湯水の温度を任意の温度に設定し、主配管路１７の下流側に流すのであるが、ミスト用の吐水口３ｂ１からは上記温度制御手段２１で設定した温度の湯水が噴出する。ミスト浴の際は通常シャワー浴よりも少し高い湯温となるように設定する。また、ミスト用の吐水口３ｂ２、３ｂ３、３ｂ４、３ｂ５から噴出するミストとなる湯水は、上記温度制御手段２１で設定された温度の湯水に、これよりも高温の湯（例えば５０℃以上の湯）を温度制御手段３０部分で加え、高温の湯を加える量をそれぞれ変えることでミスト用の吐水口３ｂ２、３ｂ３、３ｂ４、３ｂ５の順で次第に湯温が高くなるように調整されるものであり、また、上記温度制御手段２１では最高の温度となるミスト用の吐水口３ｂ５から噴出する湯水の温度がミスト用の吐水口３ｂ５直近で人が浴びても安全な温度以下となるように制御される。このように、ノズルアーム２の長手方向に複数設けたミスト用の吐水口３ｂ２、３ｂ３、３ｂ４、３ｂ５からミストを噴出して着座位置で着座した使用者を包み込むようなミスト浴を行う際、噴出位置から身体までの距離が短いミスト用の吐水口３ｂよりも噴出位置から身体までの距離が長いミスト用の吐水口３ｂ程噴出する湯水の温度を高くしてあるので、各ミスト用の吐水口３ｂ２、３ｂ３、３ｂ４、３ｂ５から噴出したミストが着座位置で着座した使用者の首から下の身体の各部に到達した際はほぼ同じ湯温となり、身体各部に当たる湯温のばらつきがなく、身体全体の温まり感を同じにできて、温熱効果を高めることができる。
【００４５】
また、上記のように使用者が着座位置で着座した状態でノズルアーム２に設けた複数のミスト用の吐水口３ｂからミストを噴出して使用者の身体を包み込むようなミスト浴を行っている際、同時に左右の腰シャワー用吐水口５からそれぞれシャワーが噴出して腰に当たるため、使用者の背面側が冷えることがないようになっている。この場合、湯温調整用副スイッチ部４２を操作して腰シャワー温度制御手段６により腰シャワー用吐水口５から噴出する湯水の温度を調整する。つまり、腰シャワー用吐水口５から着座位置で着座した使用者の腰部分までの距離は短い（ミスト用の吐水口３ｂ１から首までの距離よりも短い）ため、仮に、ミスト用の吐水口３ｂ１と同じ温度の湯水を腰シャワー用吐水口５から噴出すると、腰シャワー用吐水口５から身体までの距離が短いため腰に当たる湯水が熱過ぎて快適な使用ができない。しかも、これに加えてミストをシャワー温度と同じにすると体感温度が低くなるので、一般的にミスト温度の噴出温度はシャワーの噴出温度よりも高くする。この点でもシャワー用の吐水口３ｂ１と同じ温度の湯水を腰シャワー用吐水口５から噴出すると、腰に当たる湯水が熱過ぎて快適な使用ができない。そこで、上記のように腰シャワー用吐水口５から噴出する湯水の温度を腰シャワー温度制御手段６により独立して調整することで、身体全体の温まり感を同じにできる。
【００４６】
次に、使用者が着座位置で着座して水流マッサージをする場合は、マッサージ用スイッチ部４６をオン操作すると弁２５ｃ、弁３８が開き、左右のマッサージ用吐水口８から使用者の主に肩に向かって衝撃的な水流を噴出して水流マッサージを行い、同時に左右の腰シャワー用吐水口５からそれぞれ粒子状に水流を噴出し（シャワーが噴出し）て、着座位置で着座した使用者の背方から腰にシャワーを浴びせる。
【００４７】
また、本体部吐水口９から湯水を吐出する場合は、カラン用スイッチ部４８をオン操作することで弁２５ｅが開き、本体部吐水口９から湯水を吐水することができる。
【００４８】
また、前述の実施形態ではリモコンスイッチ装置Ｂを設けてリモコン操作で各モードの切換えや湯温や湯量の調整を行うようにした例を示したが、湯水混合栓を手で直接操作することで各温度制御手段による温度制御を行ったり、流量調整弁を手で直接操作することで各流量制御手段による流量調整をおこなったり、流路切換え弁を手で直接操作することで、各モードを選択自在としてもよい。
【００４９】
また、前述の実施形態ではノズルアーム２の長手方向に粒子状に水流を吐水する複数のシャワー用の吐水口３ａと、霧状の水流を噴霧する複数のミスト用の吐水口３ｂとを設け、シャワー用の吐水口３ａからの吐水とミスト用の吐水口３ｂからの吐水とが選択可能とした例を示したが、ノズルアーム２の長手方向に粒子状に水流を吐水する複数のシャワー用の吐水口３ａのみを設けたものでもよく、あるいは、ノズルアーム２の長手方向に霧状の水流を噴霧する複数のミスト用の吐水口３ｂのみを設けたものであってもよい。
【図面の簡単な説明】
【００５０】
【図１】本発明のシャワー装置の通常使用状態の斜視図である。
【図２】同上のシャワー装置の着座使用状態の斜視図である。
【図３】同上のシャワー装置を設けた浴室の一部切欠した側面図である。
【図４】本発明の配管ブロック図である。
【図５】同上のノズルアームを突出した状態の要部斜視図である。
【図６】同上に用いるリモコンスイッチ装置の正面図である。
【図７】（ａ）（ｂ）（ｃ）は湯供給管及び断熱材の各例の切断端部の斜視図である。
【符号の説明】
【００５１】
１    シャワー装置本体部
７    浴室
７１  床パン
７２  浴槽
７３  フランジ部
７５  給湯器
７６  蓄熱材
７０  壁
８    カウンター
８１  カウンター本体部
８２  立壁部
９    本体部吐水口
Ａ    シャワー装置
【図１】
2009125496.tif 000003
【図２】
2009125496.tif 000004
【図３】
2009125496.tif 000005
【図４】
2009125496.tif 000006
【図５】
2009125496.tif 000007
【図６】
2009125496.tif 000008
【図７】
2009125496.tif 000009